(57)【要約】【課題】  増幅手段等の部品を搭載することができる、部品点数の少ない、低背対応のコネクタを提供する。【解決手段】  第１コネクタと第２コネクタから成る光電気複合型コネクタであって、第１コネクタは、第１ハウジングと、この第１ハウジングに配置される第１電気端子を有し、第２コネクタは、第２ハウジングと、この第２ハウジングに配置され、光電変換部を有する基板と、第２ハウジングに配置され、基板を第２ハウジングに配置したときに基板の一部が圧入される圧入部を有する第２電気端子を有し、第１コネクタと第２コネクタを嵌合させたときに、第１コネクタの第１電気端子と第２コネクタの第２電気端子が電気的に接触し、この接触を通じて第１コネクタの第１電気端子と第２コネクタの光電変換部が電気的に接続される。【選択図】      図３
2006331741.tif 000002
【特許請求の範囲】
【請求項１】
第１コネクタと第２コネクタから成る光電気複合型コネクタにおいて、
前記第１コネクタは、第１ハウジングと、この第１ハウジングに配置される第１電気端子を有し、
前記第２コネクタは、第２ハウジングと、この第２ハウジングに配置され、光電変換部を有する基板と、前記第２ハウジングに配置され、前記基板を前記第２ハウジングに配置したときに前記基板の一部が圧入される圧入部を有する第２電気端子を有し、
前記第１コネクタと前記第２コネクタを嵌合させたときに、前記第１コネクタの第１電気端子と前記第２コネクタの第２電気端子が電気的に接触し、該接触を通じて前記第１コネクタの第１電気端子と前記第２コネクタの光電変換部が電気的に接続されることを特徴とする光電気複合型コネクタ。
【請求項２】
前記基板の一部は前記基板の端部である請求項１記載のコネクタ。
【請求項３】
前記基板は、前記基板の一部と前記光電変換部の間にそれらに電気的に接続された増幅手段を有する請求項１又は２記載のコネクタ。
【請求項４】
前記第２電気端子の圧入部は前記基板を該圧入部に圧入する方向とは逆方向に前記第２電気端子の一部を延伸させることによって形成されている請求項１乃至３のいずれかに記載のコネクタ。
【請求項５】
前記第１コネクタと前記第２コネクタが嵌合されたとき、前記第２電気端子は、該第２電気端子に前記基板が圧入される側とは異なる側で前記第１電気端子と接触される請求項１乃至３のいずれかに記載のコネクタ。
【請求項６】
前記第２電気端子は略Ｅ字状である請求項１乃至５のいずれかに記載のコネクタ。
【請求項７】
前記略Ｅ字状の第２電気端子に含まれる平行に伸びる３本の部分のうちの中央部分以外の部分を前記第２電気端子を前記第２コネクタに固定するための固定部として用いる請求項６に記載のコネクタ。
【請求項８】
前記略Ｅ字状の第２電気端子に含まれる平行に伸びる上側の２本の部分によって、若しくは、下側の２本の部分によって、前記圧入部を形成する請求項６又は７に記載のコネクタ。
【請求項９】
前記第１コネクタと前記第２コネクタが嵌合されたときに、前記第１コネクタの第１電気端子と前記第２コネクタの第２電気端子が電気的に接触される部分を、前記圧入部の近傍に位置付けた請求項８記載のコネクタ。
【請求項１０】
前記第２電気端子は曲げ端子であって、該曲げ端子によって前記圧入部を形成している請求項１乃至５のいずれかに記載のコネクタ。
【請求項１１】
前記第２電気端子は略コ字状であって、該略コ字の平行に伸びる２本の部分の内側を圧入部として用い、外側を固定部として用いる請求項１乃至５のいずれかに記載のコネクタ。
【請求項１２】
前記第２電気端子と前記第２ハウジングの間に前記圧入部を形成している請求項１乃至５のいずれかに記載のコネクタ。
【発明の詳細な説明】
【技術分野】
【０００１】
本発明は、光電気複合型コネクタ、更に言えば、基板を用いた光電気複合型コネクタに関する。
【背景技術】
【０００２】
従来の光電気複合型コネクタの一例を図５に示す。このコネクタは、本願出願人自身が平成１７年２月４日に出願した特願２００５−０２９１１３号に開示されているものと同じものである。
【０００３】
この従来コネクタ１００は、プラグ側コネクタ１０２とレセプタクル側コネクタ１０６の対から成る。プラグ側コネクタ１０２には、例えば、プラグ側ハウジング１２６と、プラグ側ハウジングに配置されるプラグ側端子１３０と、更に、プラグ側コネクタ１０２に着脱自在に設けられるブロック１３４が含まれる。ブロック１３４は、金属製のプラグ側シェル１２８の端部を折り曲げることによって形成したブロック固定部１３８によって係止され得る。一方、レセプタクル側コネクタ１０６には、例えば、レセプタクル側ハウジング１６０と、レセプタクル側ハウジングに配置されるレセ側端子１７０が含まれる。
【０００４】
ブロック１３４の内部に受発光素子が設けられている（図示されていない）。この受発光素子の働きにより、光ファイバ１０８から得た光を微弱な電気信号に変換することができる。この電気信号は、その後、ブロック１３４の前面に設けた配線１３２に流され、様々な処理に使用される。これとは逆に、この受発光素子は、レセ側端子１７０とプラグ側端子１３０の接触、及び、プラグ側端子１３０と配線１３２の接触を通じて得た電気信号を、光信号に変換することもできる。
【０００５】
【特許文献１】特願２００５−０２９１１３号
【発明の開示】
【発明が解決しようとする課題】
【０００６】
上記従来コネクタでは、受発光素子によって発生した微弱な電気信号をそのままの状態で、つまり、何ら増幅させずに、レセプタクル側ハウジング１０６に伝達するものであるため、信号の伝達時に、ノイズが電気信号に入る危険が大きかった。この問題に対処するためにアンプ等の増幅手段を設ける必要があるが、上記出願にその設置方法は何ら記載されていない。一般に、このような増幅手段はコネクタの外部に別部材として設けるが、この方法では、装置が大型化してしまうという危険がある。この結果、低背対応のコネクタを提供することは困難となる。
【０００７】
また、上記従来コネクタでは、ブロック１３４を、ブロック固定部１３８によってプラグ側端子１３０側に押し付けた状態で簡易係止しているが、この結果、ブロック１３４の配線１３２とプラグ側端子１３０の間の接触が不安定なものとなっている。更に、押し付けを行うためにブロック固定部１３８を設けることとされており、この結果、部品点数が多くなっているといった欠点もある。
【０００８】
本発明は、これらの従来技術における問題点を解決するためになされたものであり、増幅手段等の部品を搭載することができる、部品点数の少ない、低背対応のコネクタを提供することを目的とする。
【課題を解決するための手段】
【０００９】
本発明は、第１コネクタと第２コネクタから成る光電気複合型コネクタにおいて、前記第１コネクタは、第１ハウジングと、この第１ハウジングに配置される第１電気端子を有し、前記第２コネクタは、第２ハウジングと、この第２ハウジングに配置され、光電変換部を有する基板と、前記第２ハウジングに配置され、前記基板を前記第２ハウジングに配置したときに前記基板の一部が圧入される圧入部を有する第２電気端子を有し、前記第１コネクタと前記第２コネクタが嵌合させたときに、前記第１コネクタの第１電気端子と前記第２コネクタの第２電気端子が電気的に接触し、該接触を通じて前記第１コネクタの第１電気端子と前記第２コネクタの光電変換部が電気的に接続されることを特徴としている。
【００１０】
上記コネクタにおいて、前記基板の一部は前記基板の端部であってもよい。また、前記基板は、前記基板の一部と前記光電変換部の間にそれらに電気的に接続された増幅手段を有していてもよい。
【００１１】
また、上記コネクタにおいて、前記第２電気端子の圧入部は前記基板を該圧入部に圧入する方向とは逆方向に前記第２電気端子の一部を延伸させることによって形成されてもよい。
【００１２】
更に、上記コネクタにおいて、前記第１コネクタと前記第２コネクタが嵌合されたとき、前記第２電気端子は、該第２電気端子に前記基板が圧入される側とは異なる側で前記第１電気端子と接触されるようになっていてもよい。
【００１３】
更に、上記コネクタにおいて、前記第２電気端子は略Ｅ字状であってもよい。また、前記略Ｅ字状の第２電気端子に含まれる平行に伸びる３本の部分のうちの中央部分以外の部分を前記第２電気端子を前記第２コネクタに固定するための固定部として用いてもよい。更に、前記略Ｅ字状の第２電気端子に含まれる平行に伸びる上側の２本の部分によって、若しくは、下側の２本の部分によって、前記圧入部を形成してもよい。
【００１４】
更にまた、上記コネクタにおいて、前記第１コネクタと前記第２コネクタが嵌合されたときに、前記第１コネクタの第１電気端子と前記第２コネクタの第２電気端子が電気的に接触される部分を、前記圧入部の近傍に位置付けるのが好ましい。
【００１５】
また、上記コネクタにおいて、前記第２電気端子は曲げ端子であって、該曲げ端子によって前記圧入部を形成してもよい。
【００１６】
更に、上記コネクタにおいて、前記第２電気端子は略コ字状であって、該略コ字の平行に伸びる２本の部分の内側を圧入部として用い、外側を固定部として用いてもよい。
【００１７】
更にまた、前記第２電気端子と前記第２ハウジングの間に前記圧入部を形成してもよい。
【発明の効果】
【００１８】
本発明によれば、増幅手段等の部品を搭載することができる、部品点数の少ない、低背対応のコネクタが提供される。
【発明を実施するための最良の形態】
【００１９】
図１乃至図３を参照して、本発明の好適な一つの実施形態による光電気複合型コネクタを説明する。このコネクタは、プラグ側コネクタ（光モジュール側コネクタ）２とレセプタクル側コネクタ４の対から成る。図１は、これらプラグ側コネクタ２とレセ側コネクタ４の嵌合前の状態を、図２は、プラグ側コネクタ２とレセ側コネクタ４の嵌合後の状態を、それぞれ斜視図で示したものである。図３は、図２の３−３線断面の斜視図である。
【００２０】
レセ側コネクタ４は、主に、レセ側コネクタハウジング６１と、このレセ側コネクタハウジング６１を覆うレセ側シェル６０と、レセ側コネクタハウジング６１の内部に配置、固定されるコネクタ端子４０から成る。レセ側コネクタ４は、例えば、基板１０上に実装して使用され得る。
【００２１】
レセ側コネクタハウジング６１は、前方部４２と、２つの側壁部４３と、前方部４２側の一部近辺を除く底面に広がる底部４４から成る。前方部４２には端子固定部が設けられており、これら端子固定部に、複数のコネクタ端子４０が、側壁部４３の延長方向に沿って複数並列に配列される。
【００２２】
レセ側シェル６０は、一枚の平板状の金属を打ち抜き、折り曲げることによって形成される。レセ側シェル６０はレセ側コネクタハウジング６１に取付けられたとき、レセ側コネクタ４の底側を除く略全ての外面と、４３の内面の一部７３を覆い、更に、２つの折り曲げ部６４によって後方部４７の後面を閉じる。レセ側シェル６０をレセ側コネクタハウジング６１に固定するため、レセ側シェル６０の後方に、レセ側シェル６０の一部をレセ側コネクタハウジング６１側に折り曲げることによって一対の係止片６６を設けている。これらの係止片６６は、レセ側コネクタハウジング６１の係止穴６８に挿入される。
【００２３】
レセ側コネクタハウジング６１とレセ側シェル６０によって、プラグ側コネクタ２を嵌合させる嵌合凹部６３が形成される。プラグ側コネクタ２は、この嵌合凹部６３に上方から嵌合される。レセ側コネクタ４は、この嵌合に必要な高さを有する、更に言えば、この嵌合に必要最低限の高さ、即ち、有効嵌合長を有する。プラグ側コネクタ２がレセ側コネクタ４の嵌合凹部６３に嵌合されたとき、プラグ側コネクタ２は嵌合凹部６３にすっぽり嵌まる。このとき、コネクタは全体として略完全な矩形となる。嵌合凹部６３にプラグ側コネクタ２が嵌まったとき、各折り曲げ部６４に設けた係合穴６５に、プラグ側コネクタ２の係合突起６２がパチンと嵌まる。この結果、プラグ側コネクタ２はレセ側コネクタ４に係止されることになる。尚、プラグ側コネクタ２の嵌合時に、プラグ側コネクタ２の外部に延びる光ファイバー１３と衝突することを避けるため、折り曲げ部６４の間に隙間６７を設けておく。
【００２４】
コネクタ端子４０は、２つのＬ字を水平方向において連結させた形状を有する。このコネクタ端子４０は、主に、接触部４５、固定部４６、基板配置部４８の３つの部分で構成される。固定部４６は、垂直部分として形成され、レセ側コネクタハウジング６１の底側から中心に向かう垂直穴６９に圧入固定される。一方、基板配置部４８は、水平部分として形成され、レセ側コネクタハウジング６１と基板１０の間でレセ側コネクタハウジング６１の溝に沿って固定される。この基板配置部４８の端部４９は、固定後も、外部に露出させた状態とされる。また、図面からは明らかでないが、この基板配置部４８の底面の一部は、基板１０との間で電気信号を伝達するため、基板１０上の配線（図示されていない）と接続される。接触部４５は、固定部４６と同様に垂直部分として形成され、プラグ側コネクタ２とレセ側コネクタ４が嵌合されたときに、端子接点４１において、プラグ側コネクタ２側に設けたプラグ側端子３０と接触する。プラグ側コネクタ２側と効率よく接触させることができるように、端子接点４１は、嵌合凹部６３に多少突出した状態で配置するのが好ましい。
【００２５】
プラグ側コネクタ２は、主に、プラグ側コネクタハウジング５１と、このプラグ側コネクタハウジング５１の外部を覆うプラグ側シェル５０と、プラグ側コネクタハウジング５１の内部に配置、固定されるプラグ側端子３０及び光モジュール基板１２から成る。基板１２上には、後述するように、様々な部品を搭載させることができる。本発明では、基板上に部品を搭載して、それをコネクタ内に内臓する形態としたため、コネクタを低背構造とすることができる。
【００２６】
プラグ側コネクタハウジング５１の前方部５６には、複数のプラグ側端子３０がレセ側コネクタ４のコネクタ端子４０の対応位置にて複数並列に配列される。プラグ側端子３０は、プラグ側コネクタハウジング５１の前方部５６の前面からプラグ側コネクタハウジング５１の延長方向に沿って圧入固定され得る。これに対し、基板１２やその上の搭載部品は、後方部５８の後面からプラグ側コネクタハウジング５１の延長方向に沿って、即ち、プラグ側端子３０の圧入方向とは逆方向に、圧入固定され得る。これら基板１２やその上の搭載部品は、プラグ側コネクタハウジング５１の中間部５７から後方部５８にかけて配置される。
【００２７】
プラグ側シェル５０は、一枚の平板状の板を打ち抜き、折り曲げることによって形成される。プラグ側シェル５０はプラグ側コネクタハウジング５１に取付けられたとき、プラグ側コネクタハウジング５１の底部と後方側の左右側面７４を除く略全ての外面を覆う。但し、プラグ側シェル５０をプラグ側コネクタハウジング５１に取付けた後も、光ファイバー１３との衝突を避けるため、プラグ側コネクタハウジング５１の後方部５８の後面には折り曲げ部７０の中間に隙間７１を設けておく。各折り曲げ部７０の中央付近には、係合突起６２を外部に突出させる穴７２が設けてある。また、プラグ側シェル５０をプラグ側コネクタハウジング５１に固定するため、プラグ側シェル５０の上部中間付近に、プラグ側シェル５０の一部をプラグ側コネクタハウジング５１側に折り曲げることによって一対の係止片５３が設けてある。これらの係止片５３は、プラグ側コネクタハウジング５１の係止穴５４に挿入される。
【００２８】
プラグ側端子３０は、全体として略Ｅ字の形状を有する。プラグ側端子３０は、主に、接触部３５、固定部３６、中間の延伸部３７、底側の延伸部３８から成る。接触部３５は、垂直基部であり、その他の部分３６、３７、３８は、この接触部３５から水平方向に互いに並列状態で配置される。固定部３６は、プラグ側端子３０をプラグ側コネクタハウジング５１に固定するために使用される。延伸部３７と延伸部３８は、基板１２の一部が圧入される圧入部を形成する。基板１２が後方部５８の後面からプラグ側コネクタハウジング５１に圧入されたとき、延伸部３７と延伸部３８によって形成される各圧入部に、基板１２の一部、例えば、基板面の基板上配線１７を含む基板１２の端部を圧入することによって、基板上配線と延伸部３７の先端に設けた基板接点３１とを、電気的且つ物理的に容易に且つ確実に接触させることができる。これらの各圧入を確実にするため、延伸部３７と延伸部３８は、これらによって形成される圧入部に基板１２を圧入する方向とは逆方向に延伸されている。延伸部３７と延伸部３８によって形成される圧入部によって、基板上配線１７（ａ〜ｅ）とプラグ側端子３０の接触位置を決定し、保持させることにより、ノイズを大幅に減少させることができる。尚、本発明では、基板１２を３７と３８によって形成した圧入部に挟み込んで接触を保持する構造のため、基板１２とプラグ側端子３０の接触を保持するための別パーツは不要である。
【００２９】
基板１２の上には様々な部材を搭載できる。搭載部品は特に限定されない。例えば、光ファイバ固定用の土台１５、固定板１６、光変換部２０、配線２２、アンプ１８、基板上配線１７（ａ〜ｅ）が含まれる。土台１５は、プラグ側コネクタハウジング５１の後方部５８にて基板１２の上に設けられ、光ファイバー１３の先端部分と光ファイバー１３内のファイバ素線１４を上部溝に沿って載置、位置決めさせる。固定板１６は、土台１５の上に設けられ、その土台の上の光ファイバー１３の一部を覆い且つ固定する。光変換部２０は、ファイバ素線１４の先端付近にて土台１５の上に設けられ、ファイバ素線１４からの光信号を受信して電気信号に変換する、或いは、電気信号を受信して光信号に変換する。配線２２は、光変換部２０からの電気信号を基板１２上に設けたアンプ１８に伝達する。アンプ１８は、基板１２の上に設けられ、光変換部２０から得た微弱な電流を増幅させる。基板上配線１７は、基板１２の面上に設けられ、アンプ１８によって増幅された光変換部２０からの電気信号等をプラグ側端子３０へ伝達させる。この基板上配線１７には、プラス側配線１７ａやマイナス側配線１７ｂの他、ＧＮＤ配線１７ｃやアンプ駆動用の配線１７ｄ、その他の配線１７ｅを含めることができる。
【００３０】
光変換部２０としては、例えば、ビクセル、フリップチップ、ＲＯＳＡ、ＴＯＳＡ、ＬＤ、ＰＤを使用できる。光変換部２０によって発生される電流は微弱であるが、光変換部２０と基板接点３１（圧入部）の間に、光変換部２０と接近させた状態でアンプ１８を設けているため、光変換部２０によって発生される電流に、プラグ側端子３０への伝達の際にノイズが入り込む余地は少ない。
【００３１】
明らかなように、プラグ側コネクタ２とレセ側コネクタ４を嵌合させたとき、プラグ側コネクタ２のプラグ側端子３０とレセ側コネクタ４のコネクタ端子４０は、コネクタ端子４０の端子接点４１において、換言すれば、基板１２が圧入される側とは異なる側、例えば、その対向側において、互いに電気的に接触し、この接触を通じて、レセ側コネクタ４のコネクタ端子４０とプラグ側コネクタ２の光変換部２０は電気的に接続される。これらの接続により、プラグ側コネクタ２とレセ側コネクタ４の間で光電変換を行いつつ、電気信号の伝達を図ることができる。
【００３２】
図４に、図１乃至図３に示した本願実施形態のプラグ側端子の変形例を示す。図４の（ａ）ないし（ｄ）はそれぞれ、プラグ側端子とともにその周辺部材を一部部分拡大図として示した図である。尚、図４において、図１乃至図３と同様の部材については、同様の参照番号を用いている。
【００３３】
図４の（ａ）は、プラグ側端子として、図１等に示した抜き端子の代わりに曲げ端子３０Ａを用いた例である。曲げ端子３０Ａを使うことにより、様々な接触構造を容易に形成することができる。図示の例では、Ｌ字状に曲げた端子を反転させるとともに、その先端付近を小さなＣ字状に曲げて、このＣ字の狭幅部を基板１２が圧入される圧入部３９Ａとして形成したものである。図示の例以外にも、基板１２を圧入させることができるように、曲げ端子は様々な形に変形させることができる。
【００３４】
図４の（ｂ）は、図１乃至図３と同様に、略Ｅ字状の端子を用いたものであるが、ここでは、固定部３６Ｂとして用いる部分と圧入部を形成する延伸部３８Ｂを、図１等に示した例とは上下反転させている。更に言えば、略Ｅ字状の電気端子に含まれる平行に伸びる３本の部分の中の中央部分以外の、特に、下側の延伸部３６Ｂをプラグ側コネクタハウジング５１Ｂに固定する固定部として用い（図１乃至図３の実施例では、上側部分３６を固定部として用いていた）、略Ｅ字状の電気端子に含まれる平行に伸びる上側の２本の部分、即ち、延伸部３７Ｂ、延伸部３８Ｂによって圧入部を形成したものである（図１乃至図３の実施例では、下側の２本の部分３７、３８を圧入部を形成するために用いていた）。プラグ側端子３０を反転させたため、ここでは、基板１２Ｂも上下反転させている。ただし、例えば、基板１２Ｂの上下両面に配線部を設け、或いは、下面に配線部を設ければ、基板１２Ｂを反転させる必要はない。この実施例によれば、図１等に示した実施例と同様に、低背実装、省スペース化といった効果を得ることができる他、プラグ側端子３０Ｂとコネクタ端子４０との接点４１Ｂを、基板１２Ｂとプラグ側端子３０Ｂの接点３１Ｂ、３１Ｂ’に接近させることができる、換言すれば、圧入部３９Ｂの近傍に位置付けることができるため、これら接点における接触状態をより安定させることもできる。
【００３５】
図４の（ｃ）は、圧入部と固定部を兼用させたプラグ側端子である。このプラグ側端子３０Ｃでは、図１のプラグ側端子３０の圧入部３６と延伸部３７に相当する部分の働きを同じ端子で実現させた。プラグ側端子３０Ｃは、全体として略コ字状であって、コ字の平行に延びる２本の部分、即ち、固定圧入端子３８Ｃと３８Ｃ’の外側をプラグ側コネクタハウジング５１Ｃに固定する固定部として用いるとともに、固定圧入端子３８Ｃと３８Ｃ’の内側の基板接点３１Ｃ、３１Ｃ’等を基板１２を圧入する圧入部３９Ｃとして用いている。この構成は、固定という点からみれば図１等の実施形態に比べて多少劣るものの、低背化という点では、図１等の実施形態よりも大きな効果を得ることができるものである。
【００３６】
図４の（ｄ）は、端子−ハウジング間に基板を圧入するタイプのプラグ側端子を示している。ここでは、プラグ側端子３０Ｄの基板接点３１Ｄとプラグ側コネクタハウジング５１Ｄの上面との間に圧入部３９Ｄを形成し、ここに基板１２を圧入させるものである。この実施例によれば、図１等に示した実施例よりも更に基板やその上の搭載部品を更に低背に実装できるという効果が得られる。
【産業上の利用可能性】
【００３７】
光電気複合型のコネクタに幅広く使用することができる。
【図面の簡単な説明】
【００３８】
【図１】プラグ側コネクタとレセ側コネクタの嵌合前の状態の斜視図である。
【図２】プラグ側コネクタとレセ側コネクタの嵌合後の状態の斜視図である。
【図３】図２の３−３線断面の斜視図である。
【図４】プラグ側端子の変形例を示す図である。
【図５】従来の光電気複合型コネクタの一例を示す図である。
【符号の説明】
【００３９】
２  プラグ側コネクタ（光モジュール側コネクタ）
４  レセ側コネクタ４
１０  基板
１２  光モジュール基板
１３  光ファイバー
１４  ファイバ素線
１５  土台
１６  固定板
１７  基板上配線
１８  アンプ
２０  光変換部
２２  配線
３０  プラグ側端子
３１  基板接点
３５  プラグ側接触部
３６  プラグ側固定部
３７  プラグ側中間延伸部
３８  プラグ側底側延伸部
４０  レセ側コネクタ端子  
４１  端子接点
４２  前方部
４３  側壁部
４４  底部
４５  レセ側接触部
４６  レセ側固定部
４７  後方部
４８  基板側配置部
４９  端部
５０  プラグ側シェル
５１  プラグ側コネクタハウジング
５３  係止片
５４  係止穴
５６  前方部
５７  中間部
５８  後方部
６０  レセ側シェル
６１  レセ側コネクタハウジング
６２  係合突起
６３  嵌合凹部
６４  折り曲げ部
６５  係合穴
６６  係止片        
６７  隙間
６８  係止穴
６９  垂直穴
７０  折り曲げ部
７１  隙間
７２  穴
【図１】
2006331741.tif 000003
【図２】
2006331741.tif 000004
【図３】
2006331741.tif 000005
【図４】
2006331741.tif 000006
【図５】
2006331741.tif 000007